(57)【要約】      （修正有）【課題】ドライバビット収納ケースの後端に装着されるドライバビット収納ケース用キャップであって、一体的に取扱性がよく、ドライバビットの出入も容易にでき、軽量に形成されるドライバビット収納ケース用キャップを提供する。【解決手段】収納ケースの後端に装着される第１のキャップ部１とこれに一体的に片持ち支持されて開閉する第２のキャップ部２とから形成され、両者の係着や係着の解除は確実に行われると共に第２のキャップ部２のヒートン廻し用の横溝１０によりヒートンや螺ねじ等の円滑のねじ込みが出来る。【選択図】図２
0003171889.tif 000002
【実用新案登録請求の範囲】
【請求項１】
ドライバビットを収納する収納ケースの一端側に前記ドライバビットを出口させるために設けられているキャップであって、該キャップは、前記収納ケースに装着されると共に貫通孔を内部に形成する第１のキャップ部と、この後端面側に開閉自在に片持ち支持されている蓋状の第２のキャップ部とを合体したものからなり、前記第１のキャップ部には後方に向かって伸延し先端に係止部を形成するフック及び指の爪等の先端の挿入可能の凹部が前記第１のキャップ部の前記第２のキャップ部との接合部の位置まで形成され、前記第２のキャップ部には前記フックの先端の前記係止部の係着可能の係着孔が形成されると共にヒートン廻し用の横溝が形成されるものからなることを特徴とするドライバビット収納ケース用キャップ。
【請求項２】
前記第１のキャップ部と第２のキャップ部は同時に射出成形されて形成される樹脂材からなることを特徴とする請求項１に記載のドライバビット収納ケース用キャップ。
【考案の詳細な説明】
【技術分野】
【０００１】
本考案は、複数個のドライバビットを収納する収納ケースに着脱可能に装着され、ドライバビットの出入を円滑に行わせるに好適なドライバビット収納ケース用キャップに関する。
【背景技術】
【０００２】
ドライバビットは比較的小形なものであり、各種形状のものが存在するためその保管は１つのケースに収納されることが望ましい。そのために従来より各種の収納ケースがあり、例えば、「特許文献１」や「特許文献２」の如きものがある。また、この収納ケースには、後に説明する本考案のようにその先端側にドライバビット取付部を有するものやこれを有さないもの等がある。
【先行技術文献】
【特許文献】
【０００３】
【特許文献１】特開２００２−３３５８５号（図６）
【特許文献２】特開Ｈ８−１８３５４８号（図１）
【考案の概要】
【考案が解決しようとする課題】
【０００４】
「特許文献１」の「特開２００２−３３５８５号」の「携帯型機器」はドライバビット（２０）を収納する把手（６）（ドライバビット収納部が内部に設けられている）があり、その端部にはキャップ（７）が設けられているが、このキャップ（７）は把手（６）内に着脱可能に装着される別体のもので使用時には把手（６）内から取外しされるものであり、不便な構造のものからなる。
一方、「特許文献２」の「特開Ｈ８−１８３５４８号」の「収納ケース」もキャップ（１２）は使用時に取り外しされる別体のものからなる。
【０００５】
キャップの構造としては収納ケースに簡単に装着されると共に使用時には取り外しをせずに蓋の如きものを開口するだけの動作で内部のドライバビットの取り出しができ、不使用時には収納ケース側に安定的に装着されて内部のドライバビットの脱落や飛び出しを防止する構造のものが望ましい。また、その開口も容易に出来ることが望ましい。
【０００６】
本考案は、以上の事情に鑑みて考案されたものであり、キャップは収納ケースに確実に装着でき、収納ケースへのドライバビットの出入が容易にでき、キャップの開口及び閉止が収納ケースからキャップを取り外し及び取り付けすることなく容易にでき、不使用時におけるドライバビットの飛び出しや脱落もなく、開口動作も容易に出来るドライバビット収納ケース用キャップを提供することを目的とする。
【課題を解決するための手段】
【０００７】
本考案は、以上の目的を達成するために、請求項１の考案は、ドライバビットを収納する収納ケースの一端側に前記ドライバビットを出口させるために設けられているキャップであって、該キャップは、前記収納ケースに装着されると共に貫通孔を内部に形成する第１のキャップ部と、この後端面側に開閉自在に片持ち支持されている蓋状の第２のキャップ部とを合体したものからなり、前記第１のキャップ部には後方に向かって伸延し先端に係止部を形成するフック及び指の爪等の先端の挿入可能の凹部が前記第１のキャップ部の前記第２のキャップ部との接合部の位置まで形成され、前記第２のキャップ部には前記フックの先端の前記係止部の係着可能の係着孔が形成されると共にヒートン廻し用の横溝が形成されるものからなることを特徴とする。
【０００８】
また、請求項２の考案は、前記第１のキャップ部と第２のキャップ部は同時に射出成形されて形成される樹脂材からなることを特徴とする。
【考案の効果】
【０００９】
本考案の請求項１のドライバビット収納ケース用キャップによれば、本考案のドライバビット収納ケース用キャップは収納ケースに装着されて内部に貫通孔を有しフックを形成する第１のキャップ部と、この第１のキャップに開閉可能に片持ち支持されて前記フックが係止する係着孔を有する第２のキャップ部とからなり、ドライバビットはフックとその係着孔との係着を開放し第２のキャップ部を第１のキャップ部から開口することにより容易に取り出し及び取り入れることができ、その都度収納ケースからキャップを取り外す必要がなく、効率的なドライバビットの出入が出来ると共にキャップの紛失が防止される。また、フックの係着解除は凹部に指の爪を挿入して第１のキャップ部と第２のキャップ部との接合部を押圧するだけで簡単に、かつ確実に出来る効果が上げられる。また、第２のキャップ部のヒートン廻し用の横溝によって手を痛めることなくヒートンや螺ねじやコック部品等を廻すことが出来る。
【００１０】
また、本考案の請求項２のドライバビット収納ケース用キャップによれば、第１のキャップ部と第２のキャップ部とは一体的の構造のものとして成型され、多量生産が容易であり、樹脂材からなるため軽量化が図れる。
【図面の簡単な説明】
【００１１】
【図１】本考案のドライバビット収納ケース用キャップの全体構造を説明するための正面図（ａ），上面図（ｂ），左側面図（ｃ）及び右側面図（ｄ）。
【図２】第１のキャップ部とこれに一体的に片持ち支持されいる第２のキャップ部を示す断面図（ａ）及び第２のキャップ部の係着孔の詳細構造を示す拡大部分断面図（ｂ）。
【図３】フックと係着孔との係着及び解放動作を示す拡大部分断面図（ａ），（ｂ）。
【図４】ドライバビット収納ケース用キャップを設けたストレートタイプのドライバビット収納ケースの外観構造を示す斜視図。
【図５】図４において第１のキャップ部を開口した状態を示す斜視図。
【図６】ドライバビットを内部に収納している図５に示したドライバビット収納ケースを示す斜視図。
【図７】本考案のドライバビット収納ケース用キャップを用いた他の形式（Ｔ字型）のドライバビット収納ケースの全体構造を示す斜視図。
【考案を実施するための形態】
【００１２】
以下、本考案のドライバビット収納ケース用キャップの実施の形態を図面を参照して詳述する。
本考案のドライバビット収納ケース用キャップ１００は図４及び図５，図６に示すストレートタイプのドライバビット収納ケース２００と図７に示すＴ字型のドライバビット収納ケース２００Ａに使用されている実施例を示すが、勿論この型式以外のものに適用されることは勿論である。なお、図４，図５及び図６についてはその構造の説明は省略し、以下の説明はドライバビット収納ケース用キャップ１００についての説明のみとする。
【００１３】
図１はドライバビット収納ケース用キャップ１００を示すものであり、第１のキャップ部１と第２のキャップ部２とが合体した状態を示すものである。ドライバビット収納ケース用キャップ１００はこの状態においてストレートタイプのキャップドライバビット収納ケース２００（図６）やＴ字型のドライバビット収納ケース２００Ａ（図７）の収納ケース７，７Ａの後端に装着される。なお、図６，図７に示すように収納ケース７，７Ａにはドライバビット８が収納されている。
【００１４】
第１のキャップ部１は内部に貫通孔３を形成するリング体４と、リング体４の外周から前方に突き出す一対の舌状のタング体５，５と、タング体５と逆方向に図２等に示すように伸延するフック６等とからなる。なお、第１のキャップ部１は、例えば、図４，図５，図６に示すように収納ケース７の後端にタング体５を装着した状態で収納ケース７に保持される。また、タング体５後方側には凹部１１が後方に向かって開口形成される。
【００１５】
第２のキャップ部２は図１及び図２に示すように皿型で外径が第１のキャップ部１とほぼ等しい形状のものからなり、第１のキャップ部１のフック６と相対向する位置にはフック６が係止するための係着孔９を貫通形成すると共に後面にドライバ工具の先端が係着可能の横溝１０を凹設するものからなる。
この係着孔９は図２の（ｂ）に示すようにその内側に突出部９ａを形成するものからなり、この突出部９ａはフック６の係止部６ａが係着する構造のものからなる。
【００１６】
次に、本考案のドライバビット収納ケース用キャップ１００の使用方法を図１，図２，図３等により説明する。
図２は第１のキャップ部１からこれに片持ち支持されている第２のキャップ部２を開口したものであり、第２のキャップ部２は連結部材２ａにより第１のキャップ部１と連結されている。そのため第２のキャップ部２は第１のキャップ部１から外れない。この状態で図略のドライバビットは第１のキャップ部１の貫通孔３を介して収納ケース７内に挿入される。
【００１７】
図２に示す状態にあった第２のキャップ部２を図の状態から左回転させると第２のキャップ部２は第１のキャップ部１と合体しその際に第２のキャップ部２の係着孔９に第１のキャップ部１のフック６が挿入され、フック６の係着部６ａが係着孔９の突出部９ａに係着し、第１のキャップ部１と第２のキャップ部２とが合体し、一体化される。よって、ドライバビット８は収納ケース７内に安定状態で収納される。図３（ａ）は以上の状態を示すものである。
【００１８】
次に、図３（ａ）の状態から図２の状態にする第２のキャップ部２の開口動作について説明する。
図３（ａ）に示すように、指１２の爪１３を第１のキャップ部１の凹部１１に入れると爪１３の先端は第２のキャップ部２の前端面に当る。この状態で爪１３を図３（ａ）の矢印Ａ方向に移動させると第２のキャップ部２が開口方向に押され、第２のキャップ部２の係着孔９の突出部９ａとフック６の係止部６ａとの係止が外れ第２のキャップ部２は図３（ｂ）に示すように第１のキャップ部１から外れて図２に示す状態となる。よって、収納ケース７内のドライバビット８を収納ケース７内から取り出すことが出来る。
【００１９】
第２のキャップ部２には前記のようにヒートン廻し用の横溝１０が設けられている。この横溝１０により手を痛めることなくヒートンや螺ねじやコック部品を容易に廻すことが出来る。
【００２０】
ドライバビット収納ケース用キャップ１００は以上の構造のものからなるが、前記のように第１のキャップ部１と第２のキャップ部２は一体的に射出成型等によって形成されるため多量生産は可能である。また、樹脂材からなるため軽量であり、また、各種の色彩のものを形成することが出来る。
なお、ドライバビット収納ケース用キャップ１００の内容は以上のものに限定するものではなく、同一技術的範疇のものが適用されることは勿論である。
【産業上の利用可能性】
【００２１】
本考案のドライバビット収納ケース用キャップは各種形状のドライバビット収納ケースに適用されるため、その利用範囲は極めて広い。
【符号の説明】
【００２２】
１        第１のキャップ部
２        第２のキャップ部
２ａ      連結部材
３        貫通孔
４        リング体
５        タング体
６        フック
６ａ      係止部
７        収納ケース
７Ａ      収納ケース
８        ドライバビット
９        係着孔
９ａ      突出部
１０      横溝
１１      凹部
１２      指
１３      爪
１００    ドライバビット収納ケース用キャップ
２００    ドライバビット収納ケース（ストレート型）
２００Ａ  ドライバビット収納ケース（Ｔ字型）
【図１】
0003171889.tif 000003
【図２】
0003171889.tif 000004
【図３】
0003171889.tif 000005
【図４】
0003171889.tif 000006
【図５】
0003171889.tif 000007
【図６】
0003171889.tif 000008
【図７】
0003171889.tif 000009
【手続補正書】
【提出日】平成23年9月16日(2011.9.16)
【手続補正１】
【補正対象書類名】図面
【補正対象項目名】図６
【補正方法】変更
【補正の内容】
【図６】
0003171889.tif 000010
【手続補正２】
【補正対象書類名】図面
【補正対象項目名】図７
【補正方法】変更
【補正の内容】
【図７】
0003171889.tif 000011
【手続補正３】
【補正対象書類名】実用新案登録請求の範囲
【補正対象項目名】請求項１
【補正方法】変更
【補正の内容】
【請求項１】
ドライバビットを収納する収納ケースの一端側に前記ドライバビットを出入させるために設けられているキャップであって、該キャップは、前記収納ケースに装着されると共に貫通孔を内部に形成する第１のキャップ部と、この後端面側に開閉自在に片持ち支持されている蓋状の第２のキャップ部とを合体したものからなり、前記第１のキャップ部には後方に向かって伸延し先端に係止部を形成するフック及び指の爪等の先端の挿入可能の凹部が前記第１のキャップ部の前記第２のキャップ部との接合部の位置まで形成され、前記第２のキャップ部には前記フックの先端の前記係止部の係着可能の係着孔が形成されると共にヒートン廻し用の横溝が形成されるものからなることを特徴とするドライバビット収納ケース用キャップ。
【手続補正４】
【補正対象書類名】明細書
【補正対象項目名】０００７
【補正方法】変更
【補正の内容】
【０００７】
本考案は、以上の目的を達成するために、請求項１の考案は、ドライバビットを収納する収納ケースの一端側に前記ドライバビットを出入させるために設けられているキャップであって、該キャップは、前記収納ケースに装着されると共に貫通孔を内部に形成する第１のキャップ部と、この後端面側に開閉自在に片持ち支持されている蓋状の第２のキャップ部とを合体したものからなり、前記第１のキャップ部には後方に向かって伸延し先端に係止部を形成するフック及び指の爪等の先端の挿入可能の凹部が前記第１のキャップ部の前記第２のキャップ部との接合部の位置まで形成され、前記第２のキャップ部には前記フックの先端の前記係止部の係着可能の係着孔が形成されると共にヒートン廻し用の横溝が形成されるものからなることを特徴とする。